(57)【要約】【課題】  光路開口を開閉させる各羽根部材のせり上がりを円滑に行うと共に、前記各羽根部材の開閉動作に伴う遮光範囲を確実に規制することで、ゴースト等の画像障害の発生を有効に防止することのできる光量調整装置を提供することである。【解決手段】  複数の羽根部材１５を有し、該羽根部材１５の開閉によって光路開口を形成する光量調整装置において、前記羽根部材１５の外周端部３５に傾斜面３６を設け、前記傾斜面３６が、傾斜面３６の先端部（Ｂ）と後端部（Ｄ）とを結ぶ仮想直線（Ｂ−Ｃ）の外側に少なくとも一以上の偏向部Ｅ，Ｆを設けた。【選択図】      図７
2015175966.tif 000002
【特許請求の範囲】
【請求項１】
複数の羽根部材を有し、該羽根部材の開閉によって光路開口を形成する光量調整装置において、
前記羽根部材の外周端部に傾斜面を設け、
前記傾斜面が、傾斜面の先端部と後端部とを結ぶ仮想直線の外側に少なくとも一以上の偏向部を有していることを特徴とする光量調整装置。
【請求項２】
複数の羽根部材を有し、該羽根部材の開閉によって光路開口を形成する光量調整装置において、
前記羽根部材の外周端部に傾斜面を設け、
前記傾斜面が、複数の羽部部材が互いに摺接する平面に対して異なる角度で傾斜して延びる第１及び第２の傾斜部を有していることを特徴とする光量調整装置。
【請求項３】
前記少なくとも一つの偏向部は、前記傾斜面の後端部の高さより低い位置にある請求項１に記載の光量調整装置。
【請求項４】
前記少なくとも一つの偏向部は、前記傾斜面の先端部の上方位置、あるいは先端部の前方位置又は後方位置のいずれかにある請求項１に記載の光量調整装置。
【請求項５】
前記少なくとも一つの偏向部は、前記仮想直線の長さの半分の位置より先端部側に設けられる請求項１に記載の光量調整装置。
【請求項６】
前記少なくとも一つの偏向部は、前記傾斜面の先端部近傍に設けられる請求項２に記載の光量調整装置。
【請求項７】
前記少なくとも一つの偏向部は、羽根部材の外周端部に沿って傾斜面の全域に設けられる請求項１に記載の光量調整装置。
【請求項８】
前記傾斜面は、前記外周端部に所定厚みの縦端面を備える請求項１又は２に記載の光量調整装置。
【請求項９】
前記傾斜面の長さをＬとし、羽根部材の最大厚みをＨとしたとき、
前記少なくとも一つの偏向部が、該傾斜面の先端部からＬ／４以内で、Ｈ／２以上かつＨ未満に設定される請求項１に記載の光量調整装置。
【請求項１０】
前記第１の傾斜部の長さが前記第２の傾斜部の長さよりも長い請求項２に記載の光量調整装置。
【請求項１１】
前記第１の傾斜部の傾斜角が前記第２の傾斜部の傾斜角よりも小さい請求項２に記載の光量調整装置。
【請求項１２】
前記傾斜面は、前記第１の傾斜部、第２の傾斜部及び前記羽根部材の平面に対し直交する縦端面とからなる請求項２に記載の光量調整装置。
【請求項１３】
前記傾斜面は、第１の傾斜部と第２の傾斜部との間に傾斜角を偏向する偏向部を有し、
該偏向部が、該傾斜面の内側方向の長さに対して、傾斜面の先端部から４分の１以内に設けられる請求項２に記載の光量調整装置。
【発明の詳細な説明】
【技術分野】
【０００１】
本発明は、ビデオカメラ、スチールカメラなどの撮像装置あるいはプロジェクタその他の投影装置に内蔵され、撮影光量、投映光量などの光量を調整する光量調整装置に関する。
【背景技術】
【０００２】
一般に、この種の光量調整装置は、撮影光路（投影光路）に光路開口を有する基板を配置し、この基板に光量調整用の複数の羽根部材を開閉自在に配置することで、前記光路開口を大口径又は小口径に調整するものとして知られている。このような光量調整装置は、基板上に複数の羽根部材を互いに隣接する基端部の重なりが循環するように鱗状に円周方向に配列している。すなわち、各羽根部材をずらしつつ順次上側に重ね、最後の羽根部材の一部（端部）を最初の羽根部材の下側に重なるように円周方向に配列している。そして、この各羽根部材を駆動リングで同一角度方向に回動させることによって開口径を大小調節するように構成されている。
【０００３】
特許文献１には、基板に設けた光路開口の周囲に多数枚の羽根部材を配置し、光路の口径を小径から大径まで相似形で開閉する虹彩絞り方式を採用した光量調整装置が開示されている。このような光量調整装置は、多数枚の羽根部材で円形状に近い口径で多段階に光量調整するものとなっている。
【０００４】
このような複数の羽根部材によって光路開口を開閉させる際に、各羽根部材の断面の形状によってゴーストやフレアといった画像障害が発生する場合がある。このような問題を改善するために、特許文献２では、各羽根部材の断面に段差部を設けたり、湾曲部を形成したりして対応している。また、特許文献３では各羽根部材の断面が微小な凹凸面となるようにブラスト処理を施している。
【先行技術文献】
【特許文献】
【０００５】
【特許文献１】特開２００９−０２０４３８号公報
【特許文献２】特開２００２−２２９０９５号公報
【特許文献３】特開２０１１−５９２３７号公報
【発明の概要】
【発明が解決しようとする課題】
【０００６】
しかしながら、各羽根部材の断面に上記特許文献２，３に開示されているような加工や処理を施した場合であっても、光量調整装置の最小絞り径が小さくなると、各羽根部材のせり上がり量にバラツキが生じて光学特性が悪化する場合がある。このため、各羽根部材の厚みを薄く形成したり、光路開口に面した外周端面を傾斜形成したりすることによって改善することは可能であるが、その結果、部分的に遮光性が低減してゴースト等の画像障害が発生するおそれがあった。
【０００７】
そこで本発明は、光路開口を開閉させる各羽根部材のせり上がりを円滑に行うと共に、前記各羽根部材の開閉動作に伴う遮光範囲を確実に規制することで、ゴースト等の画像障害の発生を有効に防止することのできる光量調整装置を提供することを目的とする。
【課題を解決するための手段】
【０００８】
上記課題を解決するために、本発明の光量調整装置は、複数の羽根部材を有し、該羽根部材の開閉によって光路開口を形成する光量調整装置において、前記羽根部材の外周端部に傾斜面を設け、前記傾斜面が、傾斜面の先端部と後端部とを結ぶ仮想直線の外側に少なくとも一以上の偏向部を有していることを特徴とする。
【０００９】
また、本発明の光量調整装置は、複数の羽根部材を有し、該羽根部材の開閉によって光路開口を形成する光量調整装置において、前記羽根部材の外周端部に傾斜面を設け、前記傾斜面が、複数の羽部部材が互いに摺接する平面に対して異なる角度で傾斜して延びる第１及び第２の傾斜部を有していることを特徴とする。
【発明の効果】
【００１０】
本発明の光量調整装置によれば、光路開口を開閉する各羽根部材の外周端部に傾斜面が設けられ、この傾斜面の先端部と後端部とを結ぶ仮想直線上の外側に少なくとも一以上の偏向部を有して形成されているため、この傾斜面には複数の偏向した傾斜部を形成することができる。このような複数の傾斜部を有することで、各羽根部材が開閉する際のせり上がりを円滑にすると共に、各羽根部材の外周端部の先端部分の厚みを確保することができるので、光路開口を絞る際に発生するゴーストやフレア等の画像障害を低減する効果が得られる。
【００１１】
また、前記傾斜面が異なる角度の第１の傾斜部と第２の傾斜部とで構成されているため、前記第１の傾斜部によって、羽根部材の先端側のせり上がりを円滑にすると共に、前記第２の傾斜部によって、外周端面の先端部分の厚みを確保してゴーストやフレア等の画像障害を低減させることができる。
【図面の簡単な説明】
【００１２】
【図１】本発明に係る光量調整装置の分解斜視図である。
【図２】上記光量調整装置の押さえ板側から見た斜視図である。
【図３】上記光量調整装置の地板側から見た絞り状態における斜視図である。
【図４】上記光量調整装置の地板側から見た解放状態における斜視図である。
【図５】羽根部材の斜視図である。
【図６】羽根部材の重なり状態を示す平面図である。
【図７】第１実施形態の羽根部材の断面図である。
【図８】上記第１実施形態の羽根部材の重なり状態を示す断面図である。
【図９】第２実施形態の羽根部材の断面図である。
【図１０】第３実施形態の羽根部材の断面図である。
【発明を実施するための形態】
【００１３】
以下、図面を参照して、本発明に係る光量調整装置の実施形態を詳細に説明する。図１は本発明に係る光量調整装置１１の構成要素を示す分解図である。この光量調整装置１１は、光軸Ｏを中心とする光路開口１２を有する第１の基板（地板）１３と、この地板１３内に載置される第１の開閉部材（開閉ガイドリング）１４と、この開閉ガイドリング１４上に支持される複数の羽根部材１５からなる絞り羽根組１６と、この絞り羽根組１６を回転駆動させる第２の開閉部材（駆動リング）１７と、この駆動リング１７を押さえる第２の基板（押さえ板）１８とを備えている。そして、前記地板１３と押さえ板１８とをネジ部材２０によってネジ止め等することによって、図２乃至図４に示すような光量調整装置１１となる。
【００１４】
図２は前記押さえ板１８側から見た光量調整装置１１の完成斜視図、図３及び図４は前記地板１３側から見た光量調整装置１１の完成斜視図である。ここで、図２及び図３は、前記絞り羽根組１６によって、光路開口１２を最大限に絞った状態を示したものであり、図４は光路開口１２を全解放にした状態を示したものである。この光量調整装置１１は、光路開口１２が地板１３と押さえ板１８との間に形成され、光路開口１２を前記駆動リング１７によって回転駆動される複数の羽根部材１５が互いに重なり合いながら開いたり、閉じたりすることで光量調整が行われる。後述するように、前記各羽根部材１５は、駆動リング１７に回転支持される基端部から先端部に向けて所定の角度で傾斜保持される。また、図３に示したように、各羽根部材１５の先端辺１５ａがせり上がった状態で、順次重なり合いながら光路開口１２を円形状に開閉させている。
【００１５】
前記駆動リング１７は、押さえ板１８に取り付けられている駆動モータＭによって回転駆動を行う。そして、前記駆動モータＭの時計周り及び反時計周りによる正逆回転によって、駆動リング１７が所定の回転半径内で往復移動することで、上記複数の羽根部材１５からなる絞り羽根組１６が開閉されて光路開口１２の絞り操作が行われることになる。
【００１６】
前記地板１３は、搭載される撮像装置（図示せず）の鏡筒形状に応じた外形形状となっており、合成樹脂などによって、光量調整装置１１に適した材質、寸法に形成される。また、この地板１３には、開閉ガイドリング１４に形成されている複数のスライドガイド孔１９に対応する長溝２１が複数形成されている。
【００１７】
前記開閉ガイドリング１４は、薄い樹脂フィルムによって形成され、前記地板１３内に組み込まれる。この開閉ガイドリング１４は、前記地板１３と共通の光路開口１２及び長溝２１に沿ったスライドガイド孔１９を有してリング形状に形成されている。
【００１８】
前記スライドガイド孔１９は、羽根部材１５の枚数に応じて設けられている。このスライドガイド孔１９には、図５に示すように、羽根部材１５の基端辺１５ｂの一方に設けられている開閉作動ピン２３が係合する。この開閉作動ピン２３が前記スライドガイド孔１９に沿って移動することで、各羽根部材の先端辺１５ａが互いに重なり合いながら光路開口１２上を円形状に閉じたり、開いたりさせることができる。
【００１９】
また、前記基端辺１５ｂの開閉作動ピン２３と反対側の面には、駆動リング１７に設けられている回転軸孔２５に係合する回転軸ピン２４が設けられている。この回転軸ピン２４は、前記回転軸孔２５を支点として回動することで、開閉作動ピン２３のスライドガイド孔１９に沿った移動動作にリンクさせることができる。
【００２０】
本実施形態における絞り羽根組１６は、９枚の羽根部材１５によって構成され、この９枚の羽根部材１５は、それぞれの基端辺１５ｂが前記回転軸ピン２４を介して円形状に連結されている。このようにして連結された絞り羽根組１６は、各開閉作動ピン２３がそれぞれのスライドガイド孔１９に係合させた状態で、開閉ガイドリング１４を介した地板１１に支持される。なお、前記絞り羽根組１６を構成する羽根部材１５の枚数は多いほど円形に近い光路開口１２を得ることが可能となるため、９枚又は７枚構成が一般的であるが、光路開口１２の径や絞り精度に応じて任意の枚数で構成することができる。
【００２１】
前記各羽根部材１５は、基端辺１５ｂに設けられている回転軸ピン２４が挿入される駆動リング１７の複数の回転軸孔２５を支点として回動する。この回転軸孔２５は、各羽根部材１５の枚数に対応して、前記駆動リング１７の円周方向に沿って均等に設けられている。
【００２２】
前記押さえ板１８は、前記駆動リング１７と同様に共通の光路開口１２を有したリング形状に樹脂モールドによって形成され、絞り羽根組１６や駆動リング１７を収めた地板１３の開放面を覆うことで光量調整装置１１の外観を形成している。この押さえ板１８は外周の一部に駆動モータＭの取付座３０が設けられ、この取付座３０にブラケット３１をネジ部材３２などで固定した状態で駆動モータＭが取り付けられる。そして、この駆動モータＭに取り付けられている回転ギア２９を駆動リング１７の外周面に設けられている受動歯２８に噛合させるようにして組み合わされる。これによって駆動リング１７が時計方向と反時計方向に所定角度の往復動が可能となる。
【００２３】
上記構成からなる光量調整装置１１にあっては、光路開口１２を最大口径とする場合は、地板１３の周面２２に各羽根部材１５が折り畳まれるように収まり、図２及び図３に示したように、最小口径に絞り込む際には、各羽根部材１５が鱗状に積み重ねられるように広がり、その先端辺１５ａを互いに支え合うことで、光路開口１２を絞り込むことができる。
【００２４】
図３及び図５に示したように、各羽根部材１５は、例えば、樹脂形成されたポリアセタール（ＰＯＭ）やポリエチレン樹脂（ＰＥＴ）などの樹脂フィルムやシート状の金属片等によって形成されており、一定の厚みを有する羽根本体部３４と外周端部３５とで構成されている。前記羽根本体部３４は、複数の羽根部材１５が互いに摺接しながら移動する平面部３４ａ，３４ｂを有し、基端部１５ｂから先端部１５ａに向けて幅が狭くなるように形成され、前記基端部１５ｂには、開閉作動ピン２３と回転軸ピン２４とが相対する方向に突出して設けられている。また、前記外周端部３５は、光路開口１２を形成する一部が円弧状の傾斜面３６となっている。
【００２５】
図６は隣接する２枚の羽根部材１５が重なり合う状態を示したものである。このように、複数の羽根部材１５が、基端部１５ｂを基点として互いに重なり合いながら開閉することで、前記傾斜面３６が形成されている側が円弧状の光路開口となる。
【００２６】
図７は図５に示した羽根部材１５のＡ−Ａ断面を示したものである。この羽根部材１５は、羽根本体部３４の平面部３４ａ，３４ｂ間の厚みがＨであり、この厚みＨを基準として、外周端部３５の先端部に向けて傾斜する傾斜面３６が形成されている。この傾斜面３６は、図６に示したように、隣接する他の羽根部材１５同士が重なり合いながら前記光路開口１２を遮光する部分であるが、各羽根部材１５の先端部１５ａ側のせり上がり量を抑え、円滑に摺接させるために、外周端部３５の先端側に向けて次第に厚みが減少するように形成されている。また、前記傾斜面３６は、外周端部３５の光路開口１２を形成する略全域に亘って設けられている。
【００２７】
本発明では、前記外周端部３５の先端側に向けて厚みを減少しつつ、先端側での遮光性を確保するために、前記傾斜面３６が少なくとも一以上の偏向部Ｅ，Ｆを介することで、少なくとも二以上の傾斜部３６ａ、３６ｂが連続するように形成されている。すなわち、図７の実施形態に示されるように、羽根本体部３４の平面部３４ａの平面に対して異なる角度で傾斜した二以上の傾斜部３６ａ，３６ｂが形成されている。なお、前記偏向部Ｅ，Ｆは、傾斜面３６の略全域に設けられるが、隣接する羽根部材１５同士が重なり合う部分の中で、実際に光路開口１２の開口径を規制する範囲に限定して設けることもできる。
【００２８】
図７は、第１実施形態の羽根部材１５を示したものであり、ここでは、２つの偏向部Ｅ，Ｆを介して傾斜面３６が形成されている。この傾斜面３６は、羽根本体部３４の平面部３４ａ，３４ｂ間の厚みＨと、外周端部３５の先端部（端点）Ｂから羽根本体部３４側に水平方向に延ばした基点Ｃまでの内側方向の長さ（内周長）Ｌとによって規定される。ここで、図中において、前記Ｂ−Ｃ間で規定される面を基底面３７とし、前記基点ＣからＹ軸方向に延びる羽根本体部３４の頂上部を後端部（端点）Ｄとした場合に、前記端点Ｂから前記端点Ｄに向けて延びる仮想直線Ｂ−Ｄの外側（上方）に突出する位置に前記偏向部Ｅが設定されることになる。
【００２９】
上記設定条件から前記偏向部Ｅは、端点Ｂから端点Ｃに向かう水平方向にＬ／４以内であって、厚み方向にＨ／２以上且つＨ未満とすることが望ましい。この範囲内であれば、緩やかな第１傾斜部３６ａによって、隣接する他の羽根部材１５の接触が低減され、羽根本体部３４の先端部１５ａのせり上がりをスムーズに行うことができる。また、第２傾斜部３６ｂによって、端面反射も有効に抑えることができ、さらに光路開口１２を規制する外周端部３５の先端側における厚みも確保することができるので遮光効果も得られる。
【００３０】
例えば、実際の羽根部材１５において、Ｈ＝０．１２ｍｍ、Ｌ＝０．５ｍｍとした場合、前記偏向部Ｅは端点ＢからＸ軸方向に０．１２５ｍｍ以内、Ｙ軸方向に０．０６ｍｍ以上且つ０．１２ｍｍ未満の範囲内に設定される。なお、一般的に、前記縦端面３６ｃの厚みは、Ｈ＝０，１２ｍｍに対して０．０２ｍｍ程度に設定することで端面反射を低減させることができる。
【００３１】
図８（ａ）は従来の羽根部材６１による重なり状態を示した断面図であり、図８（ｂ）は本願の上記第１実施形態の羽根部材１５による重なり状態の断面を示した断面図である。従来の羽根部材６１にあっては、傾斜面６６の後端部Ｄが外周端部６５の先端側に近い位置にあるため、この先端側に近い位置で他の羽根部材が接触することになる。これに対して、図８（ｂ）に示した本願の羽根部材１５は、傾斜面３６の後端部Ｄが前記従来の後端部Ｄよりも羽根本体部３４寄りに設けられるため、隣接する羽根部材同士の開閉動作に伴う接触点Ｃも羽根本体部３４側にシフトさせることはできる。これによって、複数の羽根部材同士が開閉動作する際の先端部のせり上がりを抑え、開閉動作をスムーズに行うことができる。また、本願では、前述したように、二か所の偏向部Ｅ，Ｆを有して傾斜面３６が形成されているため、傾斜面３６の後端部Ｄが外周端部３５から離れた位置に有する場合であっても、外周端部３５の先端部の厚みが確保されるため、光路開口１２を形成する部分の光の透過量を低減することができ、ゴースト等の発生が防止される。さらに、各羽根部材１５が開閉する際の回転摺動面となる羽根本体部３４の重なり厚ｔ２が従来の羽根本体部６４による重なり厚ｔ１よりも低く抑えることができるため、せり上がり量を抑えられ、また、光路調整装置１１全体の薄型化も図ることができる。
【００３２】
図９は第２実施形態の羽根部材４１の断面形状を示したものである。この実施形態では、２つの偏向部Ｅ´，Ｆ´を有し、偏向部Ｅ´が端点Ｂの内側に、偏向部Ｆ´が端点Ｂの外側に設定した傾斜面４６が形成されている。前記偏向部Ｅ´は、図７に示した偏向部Ｅと同一角度であるが、偏向部Ｆ´は鋭角となっている。この実施例では、第１実施形態の傾斜面３６と同様に羽根本体部４４の平面部４４ａに対して異なる角度の第１傾斜部４６ａ及び第２傾斜部４６ｂを有していることから、羽根部材４５せり上がりに関しては同様の効果が得られるが、第３傾斜部４６ｃが基底面４７方向に内側に傾斜しているため、端面反射の影響が外側に向かないようにすることができる。なお、前記偏向部Ｆにおける第２傾斜部４６ｂ及び第３傾斜部４６ｃからなる外周端部４５の先端部の厚みは薄くなるが、Ｂ−Ｃ間で規定される内周長Ｌでの厚みがＨ／２以上であれば、光が透過する範囲は先端側の短い範囲となるため、ゴースト等の影響は生じない。
【００３３】
上記第２実施形態における羽根部材４５は、例えば、Ｈ＝０．１２ｍｍ、Ｌ＝０．５ｍｍとした場合、前記偏向部Ｅ´は端点Ｂから基底面４７側のＸ軸方向に０．１１ｍｍ以内、Ｙ軸方向に０．０６ｍｍ以上且つ０．１２ｍｍ未満の範囲内に設定される。なお、一般的に、前記第３傾斜部４６ｃの厚みは、Ｈ＝０，１２ｍｍに対して０．０２ｍｍ程度に設定することで端面反射を低減させることができる。
【００３４】
図１０は第３実施形態の羽根部材５１の断面形状を示したものである。この実施形態では、１つの偏向部Ｅ″のみによって、羽根本体部５４の平面部５４ａに対して異なる角度の第１傾斜部５６ａ及び第２傾斜部５６ｂからなる傾斜面５６が形成されている。このように、偏向部が１つの場合であっても、上記第１及び第２実施形態の羽根部材１５，４１と同様のせり上がり及び遮光性を得ることができる。また、第２傾斜部５６ｂによって端面反射を低減させることができる。この場合であっても、外周端部５５の先端部での厚みがＨ／２以上となる部分があるため、端面反射も問題のない程度に抑えることができる。本実施形態における羽根部材５１の断面形状は、上記第１及び第２実施形態の羽根部材１５，４１よりも加工が容易であるため、光路開口１２における絞りの精度が要求されない普及タイプの光量調整装置に採用することができる。
【００３５】
上記第３実施形態における羽根部材５１は、例えば、Ｈ＝０．１２ｍｍ、Ｌ＝０．５ｍｍとした場合、前記偏向部Ｅ″は端点Ｂから基底面５７側のＸ軸方向に０．１２５ｍｍ以内、Ｙ軸方向に０．０６ｍｍ以上且つ０．１２ｍｍ未満の範囲内に設定される。
【００３６】
上記第１乃至第３実施形態で示したように、少なくとも一つの偏向部は、前記傾斜面の後端部（端点Ｄ）の高さＨより低い位置にあること、また、前記仮想直線Ｂ−Ｄの長さの半分の位置より先端部（端点Ｂ）側に設けられることが共通条件となっている。その上で、前記偏向部が傾斜面の先端部（端点Ｂ）の上方位置、あるいは前方位置又は後方位置のいずれかにあってもよい。
【００３７】
以上説明したように、本発明では、光路開口１２を開閉する複数の羽根部材１５において、各羽根部材１５の内周辺側に一以上の偏向部を有した傾斜部を形成したので、開閉動作に伴う摺動性を向上させつつ、光路開口を最小径に絞った際におけるゴーストやフレアといった画像障害を低減することができる。また、端面反射も低減させることが可能となった。
【符号の説明】
【００３８】
１１  光量調整装置
１２  光路開口
１３  地板（第１の基板）
１４  開閉ガイドリング（第１の開閉部材）
１５  羽根部材
１５ａ  先端部
１５ｂ  基端部
１６  絞り羽根組
１７  駆動リング（第２の開閉部材）
１８  押さえ板（第２の基板）
１９  スライドガイド孔
２０  ネジ部材
２１  長溝
２２  周面
２３  開閉作動ピン
２４  回転軸ピン
２５  回転軸孔
２８  受動歯
２９  回転ギア
３０  取付座
３１  ブラケット
３２  ネジ部材
３４  羽根本体部
３４ａ，３４ｂ  平面部
３５  外周端部
３６  傾斜面
３６ａ  第１傾斜部
３６ｂ  第２傾斜部
３６ｃ  第３傾斜部（縦端面）
３７  基底面
４１  羽根部材
４４  羽根本体部
４５  外周端部
４６  傾斜面
４６ａ  第１傾斜部
４６ｂ  第２傾斜部
４６ｃ  第３傾斜部
４７  基底面
５１  羽根部材
５４  羽根本体部
５５  外周端部
５６  傾斜面
５６ａ  第１傾斜部
５６ｂ  第２傾斜部
５７  基底面
６１  羽根部材
６４  羽根本体部
６５  外周端部
【図１】
2015175966.tif 000003
【図２】
2015175966.tif 000004
【図３】
2015175966.tif 000005
【図４】
2015175966.tif 000006
【図５】
2015175966.tif 000007
【図６】
2015175966.tif 000008
【図７】
2015175966.tif 000009
【図８】
2015175966.tif 000010
【図９】
2015175966.tif 000011
【図１０】
2015175966.tif 000012